(57)【特許請求の範囲】
【請求項１】
テープ記録媒体が収納されるカセット本体の、テープ引き出し口とは反対の表面とカセット本体内部との間で、且つリールの間の位置に、非接触型ＩＣメモリカードを上記表面と平行に差し込むことによって着脱自在に装着するためのスリット状のメモリーカード取り付け部を形成し、該メモリーカード取り付け部に、上記非接触型ＩＣメモリカードを装着した記録媒体収納カセットと、
上記記録媒体収納カセットの上記非接触型ＩＣメモリカードに対する情報の記憶、並びに上記非接触型ＩＣメモリカードに記憶されている情報の取得を行うリーダー・ライター装置と
を備えることを特徴とする非接触型ＩＣメモリカードシステム。
【請求項２】
請求項１に記載の非接触型ＩＣメモリカードシステムにおいて、
上記メモリーカード取り付け部の内部に、上記非接触型ＩＣメモリカードの凹部に嵌合する凸部を有することを特徴とする非接触型ＩＣメモリカードシステム。
【請求項３】
第１の記録媒体収納カセットと、上記第１の記録媒体収納カセットよりも小さい第２の記録媒体収納カセットとを装填可能な記録再生装置において、
上記第１の記録媒体収納カセット，上記第２の記録媒体収納カセットは、それぞれ、テープ記録媒体が収納されるカセット本体の、テープ引き出し口とは反対の表面とカセット本体内部との間で、且つリールの間の位置に、非接触型ＩＣメモリカードを上記表面と平行に差し込むことによって着脱自在に装着するためのスリット状のメモリーカード取り付け部を形成し、該メモリーカード取り付け部に、上記非接触型ＩＣメモリカードを装着しており、
上記第１の記録媒体収納カセット及び上記第２の記録媒体収納カセットの装填口側において、上記第１の記録媒体収納カセット及び上記第２の記録媒体収納カセットのリールの間の位置に対向する位置に、上記非接触型ＩＣメモリカードに対する情報の記憶、並びに上記非接触型ＩＣメモリカードに記憶されている情報の取得を行うリーダー・ライター装置のアンテナ部を取り付けたことを特徴とする記録再生装置。
【請求項４】
請求項３に記載の記録再生装置において、
上記第１の記録媒体収納カセット，上記第２の記録媒体収納カセットは、それぞれ、上記メモリーカード取り付け部の内部に、上記非接触型ＩＣメモリカードの凹部に嵌合する凸部を有することを特徴とする記録再生装置。
【発明の詳細な説明】
【０００１】
【発明の属する技術分野】
本発明は、例えばカメラ一体型ＶＴＲ、携帯若しくは据置型ＶＴＲ、カセットオートチェンジャー、記録媒体収納システム等のように、記録媒体を用いたり記録媒体を収納したりするシステム等に適用して好適な非接触型ＩＣメモリカードシステムに関する。
【０００２】
【従来の技術】
放送局等では、カメラ一体型ＶＴＲを用いて屋外での収録を行うことが多い。そして、収録素材は、通常、放送用の素材として編集される。編集は、編集者が、カメラ一体型ＶＴＲで素材が収録されたビデオ・テープ・カセットを、編集用のビデオ・テープ・レコーダで再生させ、その再生映像をテレビジョンモニタで見ながら、使用すべき位置を、編集機等に指示することにより行われる。使用すべき位置は、通常、タイムコードデータで行われる。ビデオ・テープ・カセットを再生すると、ビデオ・テープ・レコーダは、素材のみならず、タイムコードデータをも再生する。そのタイムコードデータは、ビデオ・テープ・レコーダの制御をも行う編集機に供給される。
【０００３】
従って、編集者が、使用したい範囲の先頭及び最後尾の映像が映出された時点に、イン点指定キー及びアウト点指定キー等を押圧すると、その時点のタイムコードデータが、編集機によって記憶される。このような編集作業が繰り返し行われると、編集機には、ビデオ・テープ・カセット上の全ての編集点が記憶される。従って、編集機は、記憶している編集点のタイムコードデータを順次読みながら、使用する範囲のみをＶＴＲに再生させることができる。
【０００４】
しかしながら、編集点を見つけることは容易ではない。通常、１本のビデオ・テープ・カセットには、単一の素材が連続的に収録されているとは限らないからである。また、素材を収録する人と、編集する人が異なるので、素材を収録した人の意図する位置を判断することが困難だからである。例えば、ある観光地で収録を行う場合、有名な寺だけを同じアングルで撮影し続けるといったことは、何か特別な目的がある場合を除いては、殆どありえない。通常は、有名な寺、有名な滝、町等を、順次移動しながら撮影するであろう。とすると、カメラ一体型ＶＴＲの記録ボタンと記録解除ボタンが、撮影する場所毎に少なくとも１回ずつ押圧されていることになる。編集作業においては、上記位置、即ち、寺、滝、町の記録位置を、ビデオ・テープ・カセットの磁気テープ上から探すといった作業が必要になる。
【０００５】
このように、素材の収録されたビデオ・テープ・カセットの編集は、決して効率の良いものではない。そこで、ビデオ・テープ・カセットにＩＣメモリを登載し、例えばカメラ一体型ＶＴＲで収録を行うときに、収録する素材そのもの以外の情報をビデオ・テープ・カセットのＩＣメモリに記憶し、編集等の際に使用することが提案された。つまり、記録媒体にＩＣメモリ装置を登載し、このＩＣメモリに撮像映像信号や音声信号以外の情報、例えば日付やタイトル等の付加情報を記憶し、これを後に目的に応じて使用することが提案された。尚、ここでいう「登載」は、ＩＣメモリが、ビデオ・テープ・カセットの一構成部品として、ビデオ・テープ・カセットを分解しない限りは取り外せない状態でビデオ・テープ・カセットに組み込まれていることを意味する。
【０００６】
ビデオ・テープ・カセットに登載されたＩＣメモリ装置に対するデータの書き込み、ＩＣメモリ装置に記憶されているデータの読み出しには、リーダー・ライター装置が用いられる。ＩＣメモリ装置には、データ入出力及び制御用の金属の端子が登載されている。また、リーダー・ライター装置にも、データ入出力及び制御用の金属の端子が登載されている。そして、ＩＣメモリ装置に対するデータの書き込み、ＩＣカード装置に記憶されているデータの読み出し時には、ＩＣメモリ装置の金属端子と、リーダー・ライター装置の金属端子とが、機械的に接触される。
【０００７】
上記カメラ一体型ＶＴＲの場合を例にとると分かり易いであろう。ビデオ・テープ・カセットにはＩＣメモリ装置が登載され、カメラ一体型ＶＴＲにはリーダー・ライター装置が登載される。そして、ビデオ・テープ・カセットがカメラ一体型ＶＴＲに装填されると、テープトランスポート部により、ビデオ・テープ・カセットから磁気テープが引き出されて、回転ドラムに巻き付けられると共に、リーダー・ライター装置の金属端子に、ＩＣメモリ装置の金属端子が当接される。以降は、カメラ一体型ＶＴＲのマイクロコンピュータにより、データの読み込み、データの書き込みが行われる。
【０００８】
従って、編集機に上記リーダー・ライター装置を登載しておけば、編集効率は確実にアップする。つまり、編集機で、カメラ一体型ＶＴＲで素材の収録されたビデオ・テープ・カセットのＩＣメモリ装置からデータを読み取り、そのデータを編集に参考にするのである。上述の例では、寺、滝、町の撮影開始時点及び撮影終了時点のタイムコードデータを、キー入力等によりＩＣメモリ装置に記憶するよういする。このようにすれば、編集機は、上記タイムコードデータをＩＣメモリ装置から読み出し、ビデオ・テープ・カセットの磁気テープ上の位置を、読み出したタイムコードデータの記録位置にすることができる。よって、編集を行う人は、よけいな手間、例えば、寺や滝や町の記録位置を再生画像を見ながら探すといった作業を行う必要がなくなる。
【０００９】
【発明が解決しようとする課題】
ところで、ＩＣメモリの寿命とビデオ・テープ・カセットの寿命には差がある。従って、ＩＣメモリ装置をビデオ・テープ・カセットに登載させたり、或いは張り付けた場合には、ＩＣメモリが壊れた場合には、ビデオ・テープ・カセットが無駄となり、ビデオ・テープ・カセットが使用不能となった場合には、ＩＣメモリが無駄になる。
【００１０】
また、上記システムは、ＩＣメモリ装置の金属端子と、リーダー・ライター装置の金属端子とが当接する、接触型のシステムであるから、ＩＣメモリ装置の金属端子と、リーダー・ライター装置の金属端子とを当接させるための駆動系が必要になる。そして更に、接触型のシステムの場合には、接触不良等を引き起こし易く、その際には、データ破壊や機器の損傷を招く可能性も高い。
【００１１】
本発明はこのような点を考慮してなされたもので、資源を有効に使用でき、構成を最小とし、データ破壊や機器の損傷を防止することのできる非接触型ＩＣメモリカードシステムを提案しようとするものである。
【００１２】
【課題を解決するための手段】
本発明は、テープ記録媒体が収納されるカセット本体の、テープ引き出し口とは反対の表面とカセット本体内部との間で、且つリールの間の位置に、非接触型ＩＣメモリカードを上記表面と平行に差し込むことによって着脱自在に装着するためのスリット状のメモリーカード取り付け部を形成し、該メモリーカード取り付け部に、上記非接触型ＩＣメモリカードを装着した記録媒体収納カセットと、上記記録媒体収納カセットの上記非接触型ＩＣメモリカードに対する情報の記憶、並びに上記非接触型ＩＣメモリカードに記憶されている情報の取得を行うリーダー・ライター装置とを備えることを特徴とする。
また本発明は、第１の記録媒体収納カセットと、上記第１の記録媒体収納カセットよりも小さい第２の記録媒体収納カセットとを装填可能な記録再生装置において、上記第１の記録媒体収納カセット，上記第２の記録媒体収納カセットは、それぞれ、テープ記録媒体が収納されるカセット本体の、テープ引き出し口とは反対の表面とカセット本体内部との間で、且つリールの間の位置に、非接触型ＩＣメモリカードを上記表面と平行に差し込むことによって着脱自在に装着するためのスリット状のメモリーカード取り付け部を形成し、該メモリーカード取り付け部に、上記非接触型ＩＣメモリカードを装着しており、上記第１の記録媒体収納カセット及び上記第２の記録媒体収納カセットの装填口側において、上記第１の記録媒体収納カセット及び上記第２の記録媒体収納カセットのリールの間の位置に対向する位置に、上記非接触型ＩＣメモリカードに対する情報の記憶、並びに上記非接触型ＩＣメモリカードに記憶されている情報の取得を行うリーダー・ライター装置のアンテナ部を取り付けたことを特徴とする。
上述せる本発明によれば、ＩＣメモリカードと、リーダー・ライター装置を非接触の状態で、ＩＣメモリカードに対するデータの書き込み並びにＩＣメモリカードからのデータの読み出しを行うと共に、ＩＣカードメモリを記録媒体に対し自由に着脱して使用可能とする。
【００１３】
【発明の実施の形態】
以下に、図１〜図３を順次参照して本発明の実施の形態について詳細に説明する。
【００１４】
図１は、非接触型ＩＣメモリカードシステムを、記録再生装置に適用した場合の形態を示す構成図である。記録再生装置としては、カメラ一体型ＶＴＲのＶＴＲ部分、据置型若しくは形態型ＶＴＲ、カセット・オート・チェンジャーのＶＴＲが適用可能である。
【００１５】
記録再生装置４１は、例えば実線で示されている大きなビデオ・テープ・カセット１や破線で示されている小さなビデオ・テープ・カセット１を用いることができるものである。この図１には、ビデオ・テープ・カセット１が記録再生装置４１に装填されたときの、各部の位置関係が示されている。ビデオ・テープ・カセット１のリール３及４間、且つ、ビデオ・テープ・カセット１のテープの引き出し口と反対の位置には、非接触型ＩＣメモリカード１１が装着されている。ここで、テープの引き出し口は、回転ドラム装置２の側である。ここで、上記非接触型ＩＣメモリカード１１は、内部にアンテナを有する。
【００１６】
この非接触型ＩＣメモリカード１１は、大きいビデオ・テープ・カセット１でも、小さいビデオ・テープ・カセット１でも共通に使用することができるものである。図１を見ると分かるように、大きいビデオ・テープ・カセット１に装着されている非接触型ＩＣメモリカード１１の大きさと、小さいビデオ・テープ・カセット１に装着されている非接触型ＩＣメモリカード１１の大きさは同じである。また、この記録再生装置４１のビデオ・テープ・カセット１の装填口側には、リーダー・ライター装置４２が取り付けられている。このリーダー・ライター装置４２は、アンテナ部４２ａを有する。このアンテナ部４２ａは、ハーネス４２ｂにより、リーダー・ライター装置４２と電気的に接続されている。
【００１７】
この図１に示されているように、実線で示されているビデオ・テープ・カセット１が記録再生装置４１に装填されると、上記非接触型ＩＣメモリカード１１と、アンテナ部４２ａとが、送受信可能な距離となる。尚、小さいビデオ・テープ・カセット１の場合には、上記距離が、大きいビデオ・テープ・カセット１の場合よりも遠くなるが、その値はせいぜい４９ｍｍ程度であるので、全く問題ない。よって、上記リーダー・ライター装置４２は、上記アンテナ部４２ａにより、上記非接触型ＩＣメモリカード１１に対しデータを記憶したり、また、上記非接触型ＩＣメモリカード１１に記憶されているデータを読み取ったりすることができる。
【００１８】
図２は、図１に示したビデオ・テープ・カセット１の斜視図を示している。この図２に示されているように、ビデオ・テープ・カセット１は、カセット本体２と、非接触型ＩＣメモリカード１１からなる。カセット本体２のテープ引き出し口と反対、且つ、リール３及び４の間の位置には、メモリカード取り付け部２１が形成されている。このメモリカード取り付け部２１の内部は、図示せずも、非接触型ＩＣメモリカード１１の凹部に嵌合する凸部を有する。これにより、一旦、メモリカード取り付け部２１に装着された非接触型ＩＣメモリカード１１は、その下部の突起部分をコイン等で押さない限りは、カセット本体２から離脱することはない。
【００１９】
図３は、図１に示した非接触型ＩＣメモリカード１１及びリーダー・ライター装置４２のかく内部構成例を示す構成図である。
【００２０】
〔非接触型ＩＣメモリカード１１の構成〕
この図３に示す非接触型ＩＣメモリカード１１は、送受信回路７０と、データを記憶するためのメモリ７１と、送信用の増幅回路７２と、受信用の増幅回路７４と、送信用のアンテナ７３ｔと、受信用のアンテナ７３ｒとで構成される。ここで、上記メモリ７１は、フラッシュメモリで構成される。
【００２１】
〔リーダー・ライター装置４２の構成〕
この図３に示すリーダー・ライター装置４２は、電源回路４４と、インターフェース回路４８と、マイクロコンピュータ４９と、メモリ５０と、送信系及び受信系とで構成される。ここで、電源回路４４は、出力端子４５を介して、５Ｖの電源を、インターフェース回路４８、メモリ５０、マイクロコンピュータ４９に供給する。また、電源回路４４は、出力端子４６を介して、１２Ｖの電源を、１／４分周回路５１、増幅回路５２、加算回路５３、変調回路５４、増幅回路５５、増幅回路５９、バンドパスフィルタ６０、イコライザ６１に夫々供給する。尚、アンテナ５８ｒ及び５８ｔからなるアンテナ部４２ａは、ハーネス４２ｂ及びコネクタ５６及び５７により、リーダー・ライター装置４２に接続されている。
【００２２】
送信系は、マイクロコンピュータ４９からの例えば５４．２４ＭＨｚのクロック信号の１／４の周波数（１３．５６ＭＨｚ）の搬送波信号を得る１／４分周回路５１と、増幅回路５２と、マイクロコンピュータ４９からのデータを、１／４分周回路５１からの搬送波信号によりＡＳＫ（Ａｍｐｌｉｔｕｄｅ  ＳｈｉｆｔＫｅｙｉｎｇ：振幅偏移）変調を行う変調回路５４と、加算回路５３と、送信用アンテナ５８ｔとで構成される。
【００２３】
受信系は、受信用アンテナ５８ｒと、可変容量コンデンサＣと、増幅回路５９と、バンドパスフィルタ６０と、イコライザ６１とで構成される。
【００２４】
〔データの書き込み時の動作〕
例えば図１に示した記録再生装置４１の操作パネル等のキー入力や、記録再生装置４１のメインのマイクロコンピュータからのタイムコードデータ等の各種データが、入力端子４７及びインターフェース回路４８を介してマイクロコンピュータ４９に供給される。
【００２５】
マイクロコンピュータ４９は、上記データを、変調回路５４に供給する。また、マイクロコンピュータ４９は、クロック信号を１／４分周回路５１に供給する。変調回路５４に供給されたデータは、１／４分周回路５１からの搬送波信号により変調される。この変調信号は加算回路５３に供給される。この加算回路５３には、１／４分周回路５１からの搬送波信号が供給される。加算回路５３においては、１／４分周回路５１からの搬送波信号と、変調回路５４からの変調信号が加算される。加算回路５３からの加算信号は、増幅回路５５において送信用に増幅された後に、送信用アンテナ５８ｔにより送信される。厳密に言えば、送信用のコイルから磁気が発生する。
【００２６】
上記送信信号は、非接触型ＩＣメモリカード１１の受信用のアンテナ７３ｒで受信される。厳密に言えば、上記送信用アンテナ５８ｔにより発生された磁気により、受信用のアンテナ７３ｒに電流が流れる。受信信号は、増幅回路７４で増幅された後、送受信回路７０に供給される。送受信回路は、リーダー・ライター装置４２の送信系及び受信系と同等の回路系を有する。送受信回路７０は、受信信号中からデータを抽出し、当該データをメモリ７１に供給すると共に、メモリ７１に対し書き込み制御信号を供給する。よって当該データは、メモリ７１に記憶される。
【００２７】
〔データの読み出し時の動作〕
送受信回路７０は、メモリ７１に対して読み出し制御信号を供給し、メモリ７１に記憶されているデータを読み出す。読み出されたデータは、送受信回路７０において送信用に変調された後に、増幅回路７２において増幅され、送信用のアンテナ７３ｔを介して送信される。厳密に言えば、送信用のコイルから磁気が発生する。
【００２８】
上記送信信号は、リーダー・ライター装置４２の受信用のアンテナ５８ｒで受信される。厳密に言えば、上記送信用アンテナ７３ｔにより発生された磁気により、受信用のアンテナ５８ｒに電流が流れる。受信信号は、増幅回路５９で増幅された後にバンドパスフィルタ６０、イコライザ６１で夫々処理された後にマイクロコンピュータ４９に供給される。ここで、バンドパスフィルタ６０は、データの帯域のみを通過させるために用いられる。また、上記イコライザ６１は、データの波形等化を行い元のデータを復元するためのものである。
【００２９】
マイクロコンピュータ４９は、イコライザ６１からのデータに対して各種処理を施した後に、インターフェース回路４８及び出力端子４７を介して、例えば図１に示した記録再生装置４１のメインのマイクロコンピュータ等に供給する。
【００３０】
さて、以上説明した非接触型ＩＣメモリカードシステムのリーダー・ライター装置４２は、カメラ一体型ＶＴＲのＶＴＲ部分、カセット・オート・チェンジャーのＶＴＲ、据置型若しくは形態型ＶＴＲに取り付けて使用できる。イメージし易いのは、既に説明したように、カメラ一体型ＶＴＲにより、素材の収録を終えた後に、当該素材の収録されているビデオ・テープ・カセットを、編集用のＶＴＲ等に装填し、編集を行う場合等である。この場合、当該ビデオ・テープ・カセットに装着されている非接触型ＩＣメモリカードの記憶内容を、編集用のＶＴＲに登載されているリーダー・ライター装置で読み取り、その情報に基いて編集作業を行うことができるので、編集効率を大幅に向上させることができる。この理由については、既に説明している。
【００３１】
また、カセットオートチェンジャーのカセットハンド部に、上記リーダー・ライター装置を登載すれば、従来のように、位置検出やバーコードの読み取り等を行わなくても済む。
また、記録媒体保管システムで用いられる携帯型リーダー・ライター装置として用いることができる。例えば放送局等においては、収録した原版としてのビデオ・テープ・カセット等が大量に保存されている。よって、携帯型のリーダー・ライター装置を用いれば、探しているビデオ・テープ・カセットを即座に見つけることができる。但し、この場合には、キャラクタジェネレータと、ＬＣＤディスプレイ等を更に登載し、図３に示したマイクロコンピュータ４９が、受信したデータをコードに変換し、当該コードをキャラクタジェネレータに供給するようにしなければならない。
【００３２】
例えば、各ビデオ・テープ・カセットに装着されたＩＣメモリカード１１には、そのビデオ・テープ・カセットの収録年月日が記憶されているものとすると、上記携帯型のリーダー・ライター装置を順次ビデオ・テープ・カセットに近づけると、その表示部には、順次、収録年月日を示す文字や数字の情報が表示されるので、ある特定の年月日に収録されたビデオ・テープ・カセットを探すことはたやすい。
【００３３】
以上説明したように、本形態においては、非接触型のＩＣメモリカード１１を、カセット本体２のメモリカード取付部２１に着脱自在に装着できるようにしたので、カセット本体２が使用不能となった場合においてもＩＣメモリカード１１を再利用でき、また、ＩＣメモリカード１１が使用不能となった場合においてもカセット本体２を再利用でき、結果的に資源を有効に利用できる。
また、非接触状態におけるデータの書き込み、読み出しを実現したので、構成を最小とし、しかもデータ破壊や機器の損傷を防止することができる。
また、記録媒体に装着される非接触型のＩＣメモリカード１１と、当該記録媒体の再生装置、記録装置、記録再生装置、保管装置の検索機（上例ではカセットハンド部や携帯型のリーダー・ライター装置）に登載されるリーダー・ライター装置４２とで非接触型ＩＣメモリカードシステムを構成するようにしているので、目的に応じた様々な形態を容易に実現できるといったメリットがある。
【００３４】
【発明の効果】
上述せる本発明によれば、ＩＣメモリカードと、リーダー・ライター装置を非接触の状態で、ＩＣメモリカードに対するデータの書き込み並びにＩＣメモリカードからのデータの読み出しを行うので、構成を最小とし、データ破壊や機器の損傷を防止することができるといった効果がある。
また、ＩＣカードメモリを記録媒体に対し自由に着脱して使用可能としているので、資源を有効に使用できるという効果がある。
【図面の簡単な説明】
【図１】一実施の形態を示す記録再生装置の構成図である。
【図２】図１に示したビデオ・テープ・カセットの斜視図である。
【図３】図１に示したリーダー・ライター装置及び非接触型ＩＣメモリカードの内部構成例を示す構成図である。
【符号の説明】
１  ビデオ・テープ・カセット、２  カセット本体、１１  非接触型ＩＣメモリカード、２１  メモリカード取付部、４１  記録再生装置、４２ａ  アンテナ部、４２ｂ  ハーネス、４２  リーダー・ライター装置、４８  インターフェース回路、４９  マイクロコンピュータ、５０、７１  メモリ  ５１  １／４分周回路、５２  増幅回路、５３  加算回路、５４  変調回路、５５、５９、７２、７４  増幅回路、５８ｒ、７３ｒ  受信アンテナ、５８ｔ、７３ｔ  送信アンテナ、６０  バンドパスフィルタ、６１  イコライザ、７０  送受信回路、Ｃ  可変容量型コンデンサ
【図１】
0003890620.tif 000002
【図２】
0003890620.tif 000003
【図３】
0003890620.tif 000004